(57)【要約】【課題】投薬指導等の情報が包装体と一体として管理されるようにするとともに、情報が包装体の利用者に確実に伝達されるようにする。【解決手段】スティック状の包装体の収納ケースは、台紙と、台紙に連設される第１タブ及び第２タブと、第１タブに連設される第１ロック片と、第２タブに連設する第２ロック片と、台紙に連設する扉紙とを備える。第１タブは、第１ロック片を台紙との間に介在させつつ折り曲げて台紙に重ねられ、第２タブは、第２ロック片を台紙との間に介在させつつ折り曲げて台紙の一方の面に重ねられる。第１タブは第１糊付片を有し、第２タブは第２糊付片を有し、第１タブは第１糊付片と第１ロック片との間に第１押え片を有し、第２タブは第２糊付片と第２ロック片との間に第２押え片を有する。第１ロック片は、第１押え片と台紙との間に介在し、第２ロック片は、第２押え片と台紙との間に介在する。【選択図】図７
2020070105.tif 000002
【特許請求の範囲】
【請求項１】
スティック状の包装体を収納するケースであって、
前記包装体の外形よりも広い面積を有する台紙と、
前記台紙に第１折曲線を介して連設される第１タブと、
前記台紙の前記第１タブに対向する側に第２折曲線を介して連設される第２タブと、
前記第１タブの、前記第１折曲線に沿った一方の側に第３折曲線を介して連設される第１ロック片と、
前記第２タブの、前記第２折曲線に沿った前記第１ロック片が連設される側と同じ側に第４折曲線を介して連設する第２ロック片と、
前記第１折曲線及び前記第２折曲線の方向に第５折曲線を介して前記台紙から延出する扉紙と、
を備え、
前記第１タブは、前記第３折曲線に沿って折り曲げた前記第１ロック片を前記台紙との間に介在させつつ、その全体を前記第１折曲線に沿って折り曲げることにより前記台紙の一方の面に重ねられ、
前記第２タブは、前記第４折曲線に沿って折り曲げた前記第２ロック片を前記台紙との間に介在させつつ、その全体を前記第２折曲線に沿って折り曲げることにより前記台紙の前記一方の面に重ねられ、
前記第１タブは、前記第１ロック片と対向する側に、前記台紙と接着される第１糊付片を有し、
前記第２タブは、前記第２ロック片と対向する側に、前記台紙と接着される第２糊付片を有し、
前記第１タブは、前記第１糊付片と前記第１ロック片との間に第１押え片を有し、
前記第２タブは、前記第２糊付片と前記第２ロック片との間に第２押え片を有し、
前記第１ロック片は、その先端部が前記台紙に当接した状態で前記第１押え片と前記台紙との間に介在し、
前記第２ロック片は、その先端部が前記台紙に当接した状態で前記第２押え片と前記台紙との間に介在し、
前記第１ロック片と前記第１押え片との間に前記包装体の第１端縁部が収容される第１の隙間が形成され、
前記第２ロック片と前記第２押え片との間に前記包装体の第２端縁部が収容される第２の隙間が形成されてなる、
包装体の収納ケース。
【請求項２】
請求項１に記載の包装体の収納ケースであって、
前記第１タブ及び前記第２タブの夫々の、当該収納ケースに収納される前記包装体の長手方向に沿った長さは、前記第１タブと前記第２タブとの間に当該収納ケースに収納された前記包装体の腹部を露出させる隙間が形成される長さに設定されている、
包装体の収納ケース。
【請求項３】
請求項１または２に記載の包装体の収納ケースであって、
前記第１ロック片の、当該収納ケースに収納される前記包装体の長手方向に沿った長さは、前記包装体の前記第１端縁部が前記第１ロック片と前記第１押え片との間の空間に収容される長さに設定され、
前記第２ロック片の、当該収納ケースに収納される前記包装体の長手方向に沿った長さは、前記包装体の前記第２端縁部が前記第２ロック片と前記第２押え片との間の空間に収容される長さに設定されている、
包装体の収納ケース。
【請求項４】
請求項１乃至３のいずれか一項に記載の包装体の収納ケースであって、
前記第１糊付片と前記第１押え片との間の境界、及び前記第２糊付片と前記第２押え片との間の境界のうち少なくともいずれかに破断線が形成されている、
包装体の収納ケース。
【請求項５】
請求項１乃至４のいずれか一項に記載の包装体の収納ケースであって、
前記扉紙の、前記第５折曲線と対向する側の端辺に係止片が形成され、
前記台紙の、前記第５折曲線と対向する側の端辺に前記係止片と係合される係止溝が形成されている、
包装体の収納ケース。
【発明の詳細な説明】
【技術分野】
【０００１】
この発明は、包装体の収納ケースに関する。
【背景技術】
【０００２】
特許文献１には、「ＰＴＰシートに情報を直接印刷するのではなく、ＰＴＰシートを情報が記載されたカード型包装材にてパッキングして、多種多様な使用上の注意、服薬履歴、症状のメモ等の各種情報を確実に患者、医師、薬剤師、その他消費者等に伝達することができるカード型包装体を提供する」と記載されている。
【０００３】
特許文献２には、「薬剤情報や服用の日付等の印刷スペースを広く確保し、ＰＴＰシートの取り付けも容易であり、安全に使用可能な包装用台紙とＰＴＰシート包装体を提供する。」、「収容物を収容し一面が開口した中空の突出部と突出部の周囲に設けられたフランジ部を有する成形体に、破断可能な封止材が取り付けられて突出部が閉鎖されているＰＴＰシートが取り付けられ包装用台紙であり、包装用台紙には、突出部が嵌合する透孔が形成され、包装用台紙の裏面側に、ＰＴＰシートの封止材を覆うように表示ラベルが設けられ、表示ラベルの外側面には、収容物に関する情報が表示され、表示ラベルの裏面側には粘着剤が設けられ、表示ラベルの粘着剤が設けられた面の一部を除いて、剥離が容易な剥離紙が貼付され、剥離紙が貼付されていない部分の粘着剤露出部分が仮貼り付け部となって、剥離紙が表示ラベルに貼付された状態で、表示ラベルが包装用台紙のＰＴＰシートの封止材を覆うように貼付されている。」と記載されている。
【０００４】
特許文献３には、「内容物と接する面の帯電作用が小さく平滑性があり、袋を開封して内容物を取り出す際に内容物が内面に付着しないので流出効果の優れた顆粒状物包装袋を提供する」、「グラシン紙とアルミニウム箔とポリエチレン層とポリエチレンイミン層が積層された積層体、又は切目線を形成したプラスチックフィルムとアルミニウム箔とポリエチレン層とポリエチレンイミン層が積層された積層体を、ポリエチレンイミン層を内側にして熱接着して形成された顆粒状物包装袋である。」と記載されている。
【先行技術文献】
【特許文献】
【０００５】
【特許文献１】特開平１０−５９４１５号公報
【特許文献２】実用新案登録第３２０６０２１号公報
【特許文献３】特開２００５−１０２８１９号公報
【発明の概要】
【発明が解決しようとする課題】
【０００６】
薬剤師は医師の処方箋に従い薬を調剤して患者に渡す。この時、薬剤師は患者に服薬指導を行い、薬の服用時間や服用回数、服用量などの基本的な情報、薬の保管方法、薬の副作用、のみ合わせ上の注意等の情報を患者に通知する。こうした薬剤師の服薬指導に従って患者が薬品を正しく服用すること、即ちコンプライアンスやアドヒアランスを良好に保つため、薬の包装材等については従来より様々な工夫がなされている。
【０００７】
例えば特許文献１では、ＰＴＰシートを情報が記載されたカード型包装材にてパッキングし、多種多様な使用上の注意、服薬履歴、症状のメモ等の各種情報を、患者、医師、薬剤師、その他の消費者等に伝達するようにしている。また例えば特許文献２では、ＰＴＰシートが取り付けられた包装用台紙の裏面側に、ＰＴＰシートの封止材を覆うように表示ラベルを設け、表示ラベルの外側面に収容物に関する情報を表示するようにしている。
【０００８】
ところで、薬の包装体には特許文献３に記載されているようなスティック状のものが存在するが、この種の包装体は表面積が狭い上に表面に平らな部分が少なく、患者が視認しやすい位置に服薬指導等の情報を記入するためのスペースを確保することが難しい。またこの種の包装体はその素材としてアルミシート等のインクが乗りにくいものが用いられていることも多い。そのため、薬剤師は投薬指導に関する情報を記載した用紙を包装体とは別に用意しなければならず煩雑な作業を強いられる上、包装体が患者に渡された後は情報が包装体から分離し易く情報が患者に正しく伝達されない可能性もある。
【０００９】
本発明はこうした背景に鑑みてなされたものであり、投薬指導等の情報が包装体と一体として管理されるようにするとともに、情報が包装体の利用者に確実に伝達されるようにすることが可能な包装体の収納ケースを提供することを目的とする。
【課題を解決するための手段】
【００１０】
上記目的を達成するための本発明の一つは、スティック状の包装体を収納するケースであって、前記包装体の外形よりも広い面積を有する台紙と、前記台紙に第１折曲線を介して連設される第１タブと、前記台紙の前記第１タブに対向する側に第２折曲線を介して連設される第２タブと、前記第１タブの、前記第１折曲線に沿った一方の側に第３折曲線を介して連設される第１ロック片と、前記第２タブの、前記第２折曲線に沿った前記第１ロック片が連設される側と同じ側に第４折曲線を介して連設する第２ロック片と、前記第１折曲線及び前記第２折曲線の方向に第５折曲線を介して前記台紙から延出する扉紙と、を備え、前記第１タブは、前記第３折曲線に沿って折り曲げた前記第１ロック片を前記台紙との間に介在させつつ、その全体を前記第１折曲線に沿って折り曲げることにより前記台紙の一方の面に重ねられ、前記第２タブは、前記第４折曲線に沿って折り曲げた前記第２ロック片を前記台紙との間に介在させつつ、その全体を前記第２折曲線に沿って折り曲げることにより前記台紙の前記一方の面に重ねられ、前記第１タブは、前記第１ロック片と対向する側に、前記台紙と接着される第１糊付片を有し、前記第２タブは、前記第２ロック片と対向する側に、前記台紙と接着される第２糊付片を有し、前記第１タブは、前記第１糊付片と前記第１ロック片との間に第１押え片を有し、前記第２タブは、前記第２糊付片と前記第２ロック片との間に第２押え片を有し、前記第１ロック片は、その先端部が前記台紙に当接した状態で前記第１押え片と前記台紙との間に介在し、前記第２ロック片は、その先端部が前記台紙に当接した状態で前記第２押え片と前記台紙との間に介在し、前記第１ロック片と前記第１押え片との間に前記包装体の第１端縁部が収容される第１の隙間が形成され、前記第２ロック片と前記第２押え片との間に前記包装体の第２端縁部が収容される第２の隙間が形成されてなるものである。
【００１１】
上記の構成からなる本発明の収納ケースにあっては、簡素な構成でありながらスティック状の包装体を容易に収納することができる。また台紙、扉紙、第１タブ、及び第２タブの表面や裏面に多くの情報を記載することができ、包装体の利用者に多くの情報を伝達することができる。また収納ケースに収納されたスティック状の包装体は、離脱しにくい状態で収納ケースと確実に一体化されるので、情報が包装体と分離してしまうことがなく、必要な情報を確実に利用者に伝達することができる。従って、コンプライアンスやアドヒアランスを良好に保つことができる。また包装体の収納ケースへの収納に際し、第１ロック片の先端および第２ロック片の先端が再び台紙に当接するときには特有の音が鳴るので、利用者は包装体が収納ケースに正しく確実に収納されたことを確認することができる。
【００１２】
本発明の他の一つは、上記収納ケースであって、前記第１タブ及び前記第２タブの夫々の、当該収納ケースに収納される前記包装体の長手方向に沿った長さは、前記第１タブと前記第２タブとの間に当該収納ケースに収納された前記包装体の腹部を露出させる隙間が形成される長さに設定されているというものである。
【００１３】
本発明によれば、薬剤師等の包装体の提供者は、包装体を収納ケースに収納する際、上記の隙間を介して包装体を指等で抑えることができ、包装体を台紙に沿って容易にスライドさせて収納することができる。また包装体の中央付近は内容物により膨らんでいるが、上記隙間が存在することにより第１タブ及び第２タブに大きな力がかかるのを防ぐことができ、第１タブ及び第２タブが台紙から剥がれてしまうのを防ぐことができる。
【００１４】
本発明の他の一つは、上記収納ケースであって、前記第１ロック片の、当該収納ケースに収納される前記包装体の長手方向に沿った長さは、前記包装体の前記第１端縁部が前記第１ロック片と前記第１押え片との間の空間に収容される長さに設定され、前記第２ロック片の、当該収納ケースに収納される前記包装体の長手方向に沿った長さは、前記包装体の前記第２端縁部が前記第２ロック片と前記第２押え片との間の空間に収容される長さに設定されている、というものである。
【００１５】
このように、第１ロック片の、収納ケースに収納される包装体の長手方向に沿った長さを適切に設定することで、包装体を収納ケースに収納する際、包装体の第１端縁部が第１ロック片と第１押え片との間の空間にスムーズかつ確実に収容されるようにすることができる。また第２ロック片の、収納ケースに収納される包装体の長手方向に沿った長さを適切に設定することで、包装体を収納ケースに収納する際、包装体の第２端縁部が第２ロック片と第２押え片との間の空間にスムーズかつ確実に収容されるようにすることができる。
【００１６】
本発明の他の一つは、上記収納ケースであって、前記第１糊付片と前記第１押え片との間の境界、及び前記第２糊付片と前記第２押え片との間の境界のうち少なくともいずれかに破断線が形成されている、というものである。
【００１７】
本発明によれば、包装体の収納ケースからの取り出しに際し、利用者は上記破断線を破断させるだけで第１押え片または第２押え片を第１折曲線または第２折曲線を軸として稼動可能な状態にすることができ、包装体を収納ケースから容易に取り出すことができる。
【００１８】
本発明の他の一つは、上記収納ケースであって、前記扉紙の、前記第５折曲線と対向する側の端辺に係止片が形成され、前記台紙の、前記第５折曲線と対向する側の端辺に前記係止片と係合される係止溝が形成されている、というものである。
【００１９】
利用者は、係止片を係止溝に係合させることで容易かつ確実に扉紙を閉じることができ、収納ケースをコンパクトな状態にすることができる。
【００２０】
その他、本願が開示する課題、及びその解決方法は、発明を実施するための形態の欄、及び図面により明らかにされる。
【発明の効果】
【００２１】
本発明によれば、投薬指導等の情報が包装体と一体として管理されるようにするとともに、情報が包装体の利用者に確実に伝達されるようにすることができる。
【図面の簡単な説明】
【００２２】
【図１】収納ケースの形成片を裏面側から眺めた図である。
【図２】収納ケースの形成片を表面側から眺めた図である。
【図３】一例として示す包装体の平面図である。
【図４】収納ケースの組立て方法を説明する図である。
【図５】組立てが完了した状態の収納ケースを形成片の裏面側から眺めた図である。
【図６】包装体を収納ケースに収納しようとしている様子を説明する図である。
【図７】包装体が収納ケースに収納された様子を平面的に示した図である。
【図８】包装体が収納ケースに収納された様子を示す斜視図である。
【図９】扉紙が閉じられた状態を示す図である。
【図１０】収納ケースから包装体を取り出している様子を示す図である。
【発明を実施するための形態】
【００２３】
以下、本発明の実施の形態につき図面とともに説明する。尚、以下の説明において、同一の又は類似する構成について同一の符号を付して重複した説明を省略することがある。
【００２４】
図１は、本発明の一実施形態として説明する、スティック状の包装体２の収納ケース１０の形成片（以下、「ブランク５」とも称する。）を裏面側から眺めた図であり、図２は、上記ブランク５を表面側から見た図である。ブランク５は、例えば、厚紙や板紙等のブランクシートを打ち抜くことにより形成される。
【００２５】
これらの図において、破線は山折線を、一点鎖線は谷折線を、点線は破断線を、実線は切込線を、夫々示す。破断線は、例えば、ハーフカット線（ブランク５の厚みの一部を残して切り込んだ切込線）、ミシン目、断続的に形成されたつなぎ部分を有する切込線等である。破断線は山折線や谷折線として機能することもある。谷折線はブランク５を裏面側から眺めた場合には山折線となる。
【００２６】
図３は収納ケース１０に収納されるスティック状の包装体２の一例である。包装体２は、粉体状物、顆粒状物、液状物、ゲル状物等の内容物を、紙層や樹脂層、アルミニウム層等の一つ以上の層からなるシートで包み、合掌部２１や端縁部２２ａ,２２ｂを熱シーラ等で熱溶着することにより形成される。同図に示すように、包装体２の端縁部２２,２３寄りの所定位置には、包装体２の開封操作を補助するための切目線２３ａ，２３ｂが形成されている。尚、スティック状の包装体２の例として特許文献３（特開２００５−１０２８１９号公報）に開示されているものがある。
【００２７】
図１に示すように、ブランク５は、略矩形状の台紙１１、台紙１１の一方の長辺を介して連設する、台紙１１と略大きさの等しい略矩形状の扉紙１２、台紙１１の一方の短辺を介して連設する、略矩形状の第１タブ１３ａ、台紙１１の他方の短辺を介して連設する、略矩形状の第２タブ１３ｂ、を含む。尚、同図に示す台紙１１や扉紙１２の各辺の長短の関係は一例に過ぎず、各辺の長短の関係は同図に示すものとは逆であってもよい。台紙１１、扉紙１２、第１タブ１３ａ、第２タブ１３ｂの大きさや形状は、収納ケース１０に収容される包装体２の大きさや形状に応じて設定される。例えば、台紙１１の面積は包装体２の外形よりも広く設定される。
【００２８】
台紙１１の他方の長辺の中央付近には、台紙１１の扉紙１２が連設する側に短辺を有する略台形状の係止溝１１１が形成されている。また扉紙１２の、台紙１１が連設する側とは逆側の長辺の中央付近には、扉紙１２の台紙１１が連設する側に短辺を有する略台形状の係止片１２１が形成されている。
【００２９】
第１タブ１３ａには、台紙１１の係止溝１１１が形成されている側から扉紙１２が連設する側に向かって順に、第１糊付片１３１ａ、第１押え片１３２ａ、及び第１ロック片１３３ａが形成されている。尚、第１ロック片１３３ａは、台紙１１の長辺の延長線を超えて扉紙１２の短辺に沿って延出して形成されている。
【００３０】
第２タブ１３ｂには、台紙１１の係止溝１１１が形成されている側から扉紙１２が連設する側に向かって順に、第２糊付片１３１ｂ、第２押え片１３２ｂ、及び第２ロック片１３３ｂが形成されている。尚、第２ロック片１３３ｂは、台紙１１の長辺の延長線を超えて扉紙１２の短辺に沿って延出して形成されている。
【００３１】
図１に示すように、台紙１１と扉紙１２との境界には、谷折線３１（第５折曲線）が形成されている。また台紙１１と第１タブ１３ａとの境界には、谷折線３２ａ（第１折曲線）が形成されている。また台紙１１と第２タブ１３ｂとの境界には、谷折線３２ｂ（第２折曲線）が形成されている。係止片１２１の短辺は谷折線１２１ａになっている。谷折線３１、谷折線３２ａ、谷折線３２ｂ、及び谷折線１２１ａは、例えば、収納ケース１０の廃棄時等における解体容易性等を考慮して破断線としてもよい。
【００３２】
同図に示すように、第１糊付片１３１ａと第１押え片１３２ａとの境界には、谷折線４１ａが形成されている。また第１押え片１３２ａと第１ロック片１３３ａとの境界には、谷折線４２ａ（第３折曲線）が形成されている。谷折線４２ａは、谷折線３１の延長線上にほぼ重なるように形成されている。谷折線４１ａは、例えば、包装体２を収納ケース１０から取り出す際の容易性を考慮して破断線としてもよい。また谷折線４２ａは、例えば、収納ケース１０の廃棄時における解体容易性等を考慮して破断線としてもよい。
【００３３】
第２糊付片１３１ｂと第２押え片１３２ｂとの境界には、包装体２を収納ケース１０から取り出す際の容易性を考慮して破断線４１ｂが形成されている。破断線４１ｂは谷折線としてもよい。第２押え片１３２ｂと第２ロック片１３３ｂとの境界には、谷折線４２ｂ（第４折曲線）が形成されている。谷折線４２ｂは、谷折線３１の延長線上にほぼ重なるように形成されている。谷折線４２ｂは、例えば、収納ケース１０の廃棄時における解体容易性等を考慮して破断線としてもよい。
【００３４】
同図に示すように、第１糊付片１３１ａの角部には、略三角形状の切欠き１３１１ａが形成されている。また第２糊付片１３１ｂの角部には、略三角形状の切欠き１３１１ｂが形成されている。切欠き１３１１ａ及び切欠き１３１１ｂは、扉紙１２を閉じた際の係止片１２１と第１糊付片１３１ａ及び第２糊付片１３１ｂとの干渉を避けるために形成されている。
【００３５】
第１ロック片１３３ａの扉紙１２側の角部には、略三角形状の切欠き１３３１ａが形成されている。また第２ロック片１３３ｂの扉紙１２側の角部には略三角形状の切欠き１３３１ｂが形成されている。切欠き１３３１ａ及び切欠き１３３１ｂは、第１タブ１３ａの谷折線３２ａに沿った折り曲げや第２タブ１３ｂの谷折線３２ｂに沿った折り曲げを容易にする効果を奏する。また切欠き１３３１ａは、包装体２を収納ケース１０に収納する際、包装体２の端縁部２２ａの第１ロック片１３３ａと第１押え片１３２ａとの間に形成される隙間（第１の隙間）への挿入をスムーズに行えるようにする効果を奏する。また切欠き１３３１ｂは、包装体２を収納ケース１０に収納する際、包装体２の端縁部２２ｂの第２ロック片１３３ｂと第２押え片１３２ｂとの間に形成される隙間（第２の隙間）への挿入をスムーズに行えるようにする効果を奏する。
【００３６】
＜組立て方法＞
続いて、収納ケース１０を以上に説明したブランク５から組み立てる手順について説明する。収納ケース１０は、例えば、製函機等を用いて組立てられる。
【００３７】
図４に示すように、まず第１ロック片１３３ａを谷折線４２ａに沿って折り曲げて第１押え片１３２ａに重ねるようにするとともに、第２ロック片１３３ｂを谷折線４２ｂに沿って折り曲げて第２押え片１３２ｂに重ねるようにする。
【００３８】
続いて、同図に示すように、第１タブ１３ａの全体を谷折線３２ａに沿って折り曲げ、台紙１１と第１糊付片１３１ａとの間に介在されるように塗布された接着剤Ｇ１により、第１糊付片１３１ａを台紙１１に接着する。また第２タブ１３ｂの全体を谷折線３２ｂに沿って折り曲げ、台紙１１と第２糊付片１３１ｂとの間に介在されるように塗布された接着剤Ｇ２により、第２糊付片１３１ｂを台紙１１に接着する。
【００３９】
接着剤Ｇ１，Ｇ２は、例えば、ホットメルトである。接着剤Ｇ１，Ｇ２は、第１糊付片１３１ａまたは第２糊付片１３１ｂの全体に亘って塗布されるようにしてもよいし、第１糊付片１３１ａまたは第２糊付片１３１ｂにスポット的に塗布されるようにしてもよい。以上により収納ケース１０の組立てが完了する。
【００４０】
図５に組立てが完了した状態の収納ケース１０を示す。この状態において、第１タブ１３ａは、第１糊付片１３１ａの全部又は一部の領域のみが台紙１１に接着されている。また第２タブ１３ｂは、第２糊付片１３１ｂの全部又は一部の領域のみが台紙１１に接着されている。
【００４１】
この状態において、第１ロック片１３３ａの先端は台紙１１に当接しており、第１押え片１３２ａと台紙１１との間には、第１ロック片１３３ａが谷折線４２ａで折り曲げられていることに起因して生じる弾性力によって隙間が形成されている。また第２ロック片１３３ｂの先端は台紙１１に当接しており、第２押え片１３２ｂと台紙１１との間には、第２ロック片１３３ｂが谷折線４２ｂで折り曲げられていることに起因して生じる弾性力によって隙間が形成されている。
【００４２】
＜包装体の収納＞
薬剤師等の薬の提供者は、例えば、患者等の利用者に薬を渡す際、図５に示す状態に組み立てられた収納ケース１０にスティック状の包装体２を収納する。
【００４３】
図６に包装体２を収納ケース１０に収納しようとしている様子を示す。提供者は、まず包装体２をその長手方向が扉紙１２の台紙１１の長手方向を向くように扉紙１２の裏面に重ね、包装体２を指等で抑えつつ台紙１１の方向にスライドさせる。そして提供者は、包装体２の端縁部２２ａ付近については第１ロック片１３３ａに、また端縁部２２ｂ付近については第２ロック片１３３ｂに、夫々当接させつつ、包装体２を第１タブ１３ａ及び第２タブ１３ｂと台紙１１との間に挿入する。
【００４４】
このとき、包装体２により、第１ロック片１３３ａと第１押え片１３２ａ、及び第２ロック片１３３ｂと第２押え片１３２ｂは、いずれも台紙１１に対して鉛直な方向に若干押し上げられる。そして提供者が包装体２をさらにスライドさせ続けることにより、包装体２の端縁部２２ａ，２２ｂが夫々、第１ロック片１３３ａの短辺及び第２ロック片１３３ｂの短辺の部分を通過すると、第１ロック片１３３ａの先端及び第２ロック片１３３ｂの先端は再び台紙１１に当接する。尚、第１ロック片１３３ａの先端および第２ロック片１３３ｂの先端が再び台紙１１に当接する際は、いずれも「カチッ」という特有の音が鳴るため、提供者は、包装体２の端縁部２２ａ，２２ｂがロックされたことを知ることができる。
【００４５】
続いて、提供者が包装体２を台紙１１に沿って先程とは逆の方向（扉紙１２の方向）にスライドさせると、包装体２の端縁部２２ａについては第１押え片１３２ａと第１ロック片１３３ａとの間に、包装体２の端縁部２２ｂについては第２押え片１３２ｂと第２ロック片１３３ｂとの間に、夫々滑り込むようにして挿入され、包装体２の端縁部２２ａ，２２ｂはいずれもロックされた状態（上記逆方向にそれ以上スライドさせることができない状態）となる。
【００４６】
図７は、包装体２が収納ケース１０に収納された様子を示す平面図である。また図８は、同状態を示す斜視図である。これらの図に示すように、以上の操作を行うことで、包装体２は収納ケース１０に確実に収納される。
【００４７】
尚、図７に示すように、第１タブ１３ａの端辺と第２タブ１３ｂの端辺との間には隙間Ｓが形成されており、この隙間Ｓから包装体２の腹部付近が露出している。利用者は、包装体２を収納ケース１０に収納する際、この隙間Ｓを介して包装体２を指で抑えつつ台紙１１に沿って容易にスライドさせることができる。尚、包装体２の中央付近は内容物により膨らんでいるが、上記隙間Ｓが形成されていることで第１タブ１３ａ及び第２タブ１３ｂに上記膨らんだ部分から第１タブ１３ａや第２タブ１３ｂに大きな力がかかるのを防ぐことができ、第１タブ１３ａ及び第２タブ１３ｂが台紙１１から剥がれてしまうのを防ぐことができる。
【００４８】
続いて、提供者は、扉紙１２を谷折線３１に沿って折り曲げて台紙１１に重ね、係止片１２１を係止溝１１１に係止して扉紙１２を閉じる。
【００４９】
図９に収納ケース１０の扉紙１２が閉じられた状態を示す。以上により包装体２の収納ケース１０への収納が完了する。
【００５０】
以上のように、提供者は、スティック状の包装体２を容易かつ確実に収納ケース１０に収納することができる。
【００５１】
＜投薬情報等＞
図９に示すように、薬剤師等のスティック状の包装体２の提供者は、包装体２を患者等の利用者に渡す際、収納ケース１０の所定領域に投薬情報等の情報を記載する。上記所定領域は、例えば、例えば、扉紙１２や台紙１１の表面や裏面、第１タブ１３ａや第２タブ１３ｂの表面や裏面である。尚、例えば、包装体２の所定位置に予め情報が印刷されたシール等を貼付するようにしてもよい。また固定的な情報等については、例えば、収納ケース１０の所定面に予め印刷するようにしてもよい。
【００５２】
＜包装体の取り出し＞
患者等の利用者は、収納ケース１０に記載されている情報を確認し、服用のタイミングが到来すると、収納ケース１０から包装体２を取り出して薬を服用する。このときの収納ケース１０からの包装体２の取り出しは次のようにして行われる。
【００５３】
即ち図１０に示すように、利用者は、第２押え片１３２ｂを、破断線４１ｂに沿って第２糊付片１３１ｂから切り離した後、第２押え片１３２ｂを谷折線３２ｂを軸に引き起こして包装体２の端縁部２２ｂ側を露出させ、包装体２を摘まんで収納ケース１０から取り出す。このように利用者は、簡単な操作で収納ケース１０から包装体２を取り出すことができる。また包装体２を収納ケース１０から取り出すまでの間、包装体２と投薬指導等の情報とが常に一体となっているので、利用者はいつでも薬の情報を確認することができる。そのため、利用者は服用のタイミングを逃すことなく、適切な服用方法で確実に薬を服用することができる。そのため、コンプライアンスやアドヒアランスを良好に保つことができる。
【００５４】
尚、近年、子供による医薬品等の誤飲防止に対する対策が強く求められるようになってきており、医薬品等に用いられる包装体については、いわゆるチャイルドレジスタンス（ＣＲ：Child Resistance）機能を設けることが必要とされているが、以上に説明した収納ケース１０はこうした要請にも対応するものである。即ち、収納ケース１０に収納された包装体２は、第１ロック片１３３ａ及び第２ロック片１３３ｂによって容易に取り出すことができず、包装体２を取り出すためには破断線４１ｂを切り離す操作が必要であり、これらの仕組みによって子供は包装体２を簡単には取り出すことができず、チャイルドレジスタンスの要請を満たしている。
【００５５】
ところで、以上の説明は、本発明の理解を容易にするためのものであり、本発明を限定するものではない。本発明は、その趣旨を逸脱することなく、変更、改良され得ると共に、本発明にはその等価物が含まれる。
【００５６】
例えば、以上では包装体２の内容物が薬である場合を示したが、包装体２の内容物は必ずしも薬でなくてもよく、本発明は、包装体２またはその内容物の情報を包装体２とともに一体として管理することが好ましい様々なケースに広く適用することができる。
【符号の説明】
【００５７】
２  包装体
２１  合掌部
２２ａ，２２ｂ  端縁部
２３ａ，２３ｂ  切目線
５  ブランク
１０  収納ケース
１１  台紙
１２  扉紙
１１１  係止溝
１２１  係止片
１２１ａ  谷折線
１３ａ  第１タブ
１３１ａ  第１糊付片
１３２ａ  第１押え片
１３３ａ  第１ロック片
１３ｂ  第２タブ
１３１ｂ  第２糊付片
１３２ｂ  第２押え片
１３３ｂ  第２ロック片
１３１１ａ  切欠き
１３１１ｂ  切欠き
１３３１ａ  切欠き
１３３１ｂ  切欠き
３１  谷折線
３２ａ  谷折線
３２ｂ  谷折線
４１ａ  谷折線
４２ａ  谷折線
４１ｂ  破断線
４２ｂ  谷折線
Ｇ１，Ｇ２  接着剤
Ｓ  隙間
【図１】
2020070105.tif 000003
【図２】
2020070105.tif 000004
【図３】
2020070105.tif 000005
【図４】
2020070105.tif 000006
【図５】
2020070105.tif 000007
【図６】
2020070105.tif 000008
【図７】
2020070105.tif 000009
【図８】
2020070105.tif 000010
【図９】
2020070105.tif 000011
【図１０】
2020070105.tif 000012